(57)【要約】【課題】筐体が消火栓扉の回動の妨げとはならない様にしつつ、回動手段を筐体の前面から突出しない消火栓装置を提供する。【解決手段】筐体４と、筐体４内に収容され、ノズル２を有する消火用ホース３と、筐体４に設けられ、消火用ホース３を筐体４外に引き出すための開口部６と、開口部６を開閉するための消火栓扉７と、を備える消火栓装置１において、消火栓扉７を、筐体４の前面５ａよりも内方に設けられた接続手段１２よって、前傾方向Ａ１に回動可能に設けられた回動扉体１１を有するものとし、接続手段１２を、回動軸１２ａと消火栓扉７を開扉する際に回動軸１２ａを筐体４の前面５ａよりも外方へと移動可能にする移動手段１２ｂを有するものとするか、消火栓扉７を開扉する際に略Ｕ字状又は略Ｊ字状に屈曲可能となっているものとする。【選択図】図２
2018183411.tif 000002
【特許請求の範囲】
【請求項１】
筐体と、
該筐体内に収容され、ノズルを有する消火用ホースと、
該筐体に設けられ、該消火用ホースを該筐体外に引き出すための開口部と、
該開口部を開閉するための消火栓扉と、を備え、
該消火栓扉は、該筐体の前面よりも内方に設けられた接続手段と、該接続手段によって、前傾方向に回動可能に設けられた回動扉体と、を有し、
該接続手段は、回動軸と移動手段を有しており、
該移動手段は、該消火栓扉を開扉する際に該回動軸を該筐体の前面よりも外方へと移動可能にするためのものである特徴とする消火栓装置。
【請求項２】
筐体と、
該筐体内に収容され、ノズルを有する消火用ホースと、
該筐体に設けられ、該消火用ホースを該筐体外に引き出すための開口部と、
該開口部を開閉するための消火栓扉と、を備え、
該消火栓扉は、該筐体の前面よりも内方に設けられた接続手段と、該接続手段によって、前傾方向に回動可能に設けられた回動扉体と、を有し、
該接続手段は、該消火栓扉を開扉する際に略Ｕ字状又は略Ｊ字状に屈曲可能となっていることを特徴とする消火栓装置。
【請求項３】
前記移動手段は、スライド手段であることを特徴とする請求項１に記載の消火栓装置。
【請求項４】
前記回動扉体を係止する係止手段を更に備え、
該係止手段は、前記回動軸を前記筐体の前面よりも外方に移動させた際に、その係止が解除されるものであることを特徴とする請求項１又は３に記載の消火栓装置。
【請求項５】
前記接続手段は、弾性体で形成されていることを特徴とする請求項２に記載の消火栓装置。
【請求項６】
前記接続手段は、２つの回転軸を有していることを特徴とする請求項２に記載の消火栓装置。
【発明の詳細な説明】
【技術分野】
【０００１】
本発明は、消火栓装置に関し、より詳細には、消火栓扉が回動する消火栓装置に関する。
【背景技術】
【０００２】
従来、トンネルに設置される消火栓装置がある。この様な消火栓装置は、トンネルの壁面を箱抜きして作成されたスペースに埋め込む形で設置されていたが、近年、シールド工法によってトンネルの掘削が行われる様になっており、この場合、トンネルの壁面を箱抜きして消火栓装置の設置スペースを確保することが困難となる。
【０００３】
そのため、シールド工法によって掘削されたトンネルにおいては、消火栓装置は、トンネルの壁面に埋め込まず、監査路等の空いているスペースに設置されることとなる。特に消火栓装置が監査路に設置される場合においては、監査路は、比較的狭いスペースであるため監視員等の通行の妨げとならない様に、より省スペースな消火栓装置が求められている。筐体を薄型化し、省スペースを実現した例として、特許文献１に記載された消火栓装置がある。
【０００４】
一方、特許文献１に記載された消火栓装置は、略円錐様の表示灯が筐体の前面パネルから外方に向かって突出する様に設けられていたが、近年、特許文献２に記載された表示灯の様に前面パネルから外方に突出しない表示灯が開発されており、この様な表示灯を用いることで消火栓装置の更なる薄型化が実現されている。
【先行技術文献】
【特許文献】
【０００５】
【特許文献１】特開２０１４−２１７６４６号公報
【特許文献２】特開２０１５−１９４９９９号公報
【発明の概要】
【発明が解決しようとする課題】
【０００６】
他方、従来の消火栓装置は、筐体の前面パネルに消火用ホースを筐体外に引き出すための開口部が設けられると共に開口部を開閉するための消火栓扉を備えている。消火栓扉は、前面パネルにダンパヒンジ等の回動手段によって、前傾方向に略180°回動可能に取り付けられているものである。
【０００７】
この様な消火栓扉の回動を実現するには、前面パネルが消火栓扉の回動の妨げとはならない様に回動手段を筐体の前面パネルから突出させざるを得なかった。消火栓装置の機能上は全く問題とはならないが、回動手段を前面パネルから突出しない様にすることができれば、消火栓装置の更なる薄型化が実現できることは確かである。
【０００８】
そこで、本発明は、筐体が消火栓扉の回動の妨げとはならない様にしつつ、回動手段を筐体の前面から突出しない消火栓装置を提供することを目的とする。
【課題を解決するための手段】
【０００９】
本発明は、筐体と、該筐体内に収容され、ノズルを有する消火用ホースと、該筐体に設けられ、該消火用ホースを該筐体外に引き出すための開口部と、該開口部を開閉するための消火栓扉と、を備え、該消火栓扉は、該筐体の前面よりも内方に設けられた接続手段と、該接続手段によって、前傾方向に回動可能に設けられた回動扉体と、を有し、該接続手段は、回動軸と移動手段を有しており、該移動手段は、該消火栓扉を開扉する際に該回動軸を該筐体の前面よりも外方へと移動可能にするためのものである特徴とする消火栓装置である。
【００１０】
又、本発明は、筐体と、該筐体内に収容され、ノズルを有する消火用ホースと、該筐体に設けられ、該消火用ホースを該筐体外に引き出すための開口部と、該開口部を開閉するための消火栓扉と、を備え、該消火栓扉は、該筐体の前面よりも内方に設けられた接続手段と、該接続手段によって、前傾方向に回動可能に設けられた回動扉体と、を有し、該接続手段は、該消火栓扉を開扉する際に略Ｕ字状又は略Ｊ字状に屈曲可能となっていることを特徴とする消火栓装置である。
【００１１】
尚、本発明は、前記移動手段を、スライド手段とすることが可能である。又、本発明は、前記回動扉体を係止する係止手段を更に備えるものとし、該係止手段を、前記回動軸を前記筐体の前面よりも外方に移動させた際に、その係止が解除されるものとすることが可能である。又、本発明は、前記接続手段を、弾性体で形成することが可能である。又、本発明は、前記接続手段を、２つの回転軸を有しているものとすることが可能である。
【発明の効果】
【００１２】
本発明は、消火栓扉が回動扉体を有するものとし、該回動扉体を回動させる接続手段を筐体の前面よりも内方に設けると共に該接続手段が消火栓扉を開扉する際に、該筐体の前面より外方に移動可能又は屈曲可能としたため筐体が消火栓扉の回動の妨げとはならない様にしつつ、回動手段を筐体の前面から突出しない消火栓装置を提供することが可能である。
【図面の簡単な説明】
【００１３】
【図１】本発明の第１実施形態の消火栓扉を開扉した状態の正面図である。
【図２】本発明の第１実施形態における消火栓扉の開扉操作を示す図であり、（Ａ）は消火栓扉の開扉前の様子を、（Ｂ）は消火栓扉の開扉途中の様子を、（Ｃ）は消火栓扉の開扉後の様子を示す、右側面図に相当する図である。
【図３】本発明の第１実施形態における接続手段の右側面略図であり、（Ａ）は消火栓扉の開扉前の様子を、（Ｂ）は消火栓扉の開扉途中の様子を、（Ｃ）は消火栓扉の開扉後の様子を示す図である。ある。
【図４】本発明の第２実施形態の消火栓扉の要部拡大図であり、（Ａ）は回動扉体の移動前のラッチの状態を、（Ｂ）は回動扉体の移動途中のラッチの状態を、（Ｃ）は回動扉体の移動後のラッチの状態を示す図である。
【図５】本発明の第３実施形態の接続手段の右側面略図であり、（Ａ）が、消火栓扉の開扉前の状態を、（Ｂ）が消火栓扉の開扉後の状態を、（Ｃ）が変形例を示す図である。
【発明を実施するための形態】
【００１４】
本発明の第１実施形態を、図１乃至図３に基づき説明する。始めに、本実施形態の消火栓装置１の構成について説明する。消火栓装置１は、例えば、トンネルの監査路上や監査路面よりも上方の周壁にあるいは監査路に埋め込まれて設置される。
【００１５】
消火栓装置１は、先端側にノズル２が設けられた消火用ホース３が収容される筐体４を備えている。筐体４は、その前面に前面パネル５を有している。前面パネル５には、火災時に消火用ホース３を筐体４外に引き出すための開口部６が設けられていると共に開口部６を、常時は閉鎖して火災時には開放可能に設けられた開口部６の開閉手段たる消火栓扉７が設けられている。本実施形態において、前面パネル５には、筐体４内に収容された消火器Ｅを筐体４外へ取り出すための消火器扉８、表示灯９、発信機１０等が設けられている。
【００１６】
開口部６の下方には、消火栓扉７が開扉された際に後述する回動扉体１１を保持するための保持スペースＳが設けられる。本実施形態においては、開口部６は、その下方に回動扉体１１と少なくとも同程度の面積が確保できる高さ位置に設けられている。
【００１７】
消火栓扉７は、前傾方向Ａ１に回動可能に設けられた回動扉体１１と、回動可能に連結可能な接続手段１２と、を有している。回動扉体１１は、接続手段１２によって、開扉をする際に前傾方向Ａ１に回動可能に開口部６の下端縁６ｂに連結されており、消火栓扉７を開扉する際に、略180°回動して保持スペースＳに収まる様になっている。又、回動扉体１１は、ハンドル部１３を有しており、その裏面１１ｂには、操作レバー１４、ノズルホルダ１５及びラッチ機構１６が設けられている。
【００１８】
尚、回動扉体１１は、消火栓装置１を、例えば、トンネルの監査路面よりも上方の周壁に設置した場合等、筐体４の下方にスペースがある場合は、その上端１１ａが、筐体４の底面よりも下方に位置する様に前傾方向Ａ１に回動可能にすることもできる。この場合、保持スペースＳも筐体４の底面よりの下方まで設けられていることとなる。
【００１９】
ハンドル部１３は、後述する様にラッチ１７による回動扉体１１の係止を解除するための操作部であると共に消火栓扉７を開扉する際に使用者が把持する把持部を兼ねている。又、操作レバー１４は、消火栓弁（図示せず）を開弁するために設けられている。消火栓弁は、例えば、トンネル内に形成され床板下側の空間や監査路内に設置される。又、ノズルホルダ１５は、消火用ホース３のノズル２が取り付け可能に形成されている。
【００２０】
ラッチ機構１６は、ラッチ１７を備えており、常時は、回動扉体１１を係止して消火栓扉７の閉扉状態を保持するために設けられている。ラッチ１７は、略Ｉ字状の引掛部（図示せず）を備え、常時は、回転扉体１１の上端１１ａより突出した状態となっており、開口部６の上端縁６ａ、即ち、前面パネル５の消火栓扉７を閉扉した際に回動扉体１１の上端１１ａと対向する部分に引掛部を掛けて係止され、消火栓扉７の閉扉状態を保持し、回動扉体１１が不意に前傾方向Ａ１に回動することを防止している。又、ラッチ機構１６は、ハンドル部１３を操作することでラッチ１７が回転扉体１１の上端１１ａより引っ込み、上記係止を解除される様になっている。
【００２１】
接続手段１２は、筐体４の前面、即ち、前面パネル５から外方に突出しない様に前面パネル５の前面５ａよりも内方に設けられており、回動軸１２ａ及びスライド手段１２ｂを有している。回動軸１２ａは、回動扉体１１を前傾方向Ａ１の回動可能にするために設けられており、例えば、本実施形態の様に、回動扉体１１が急激に開放しない様に付勢するダンパヒンジを採用することが可能である。
【００２２】
スライド手段１２ｂは、開口部６の下端縁６ｂ上に取付けられており、消火栓扉７を開扉する際に、回動軸１２ａを前方方向Ａ２に移動可能にし、消火栓扉７を開扉する際に回動軸１２ａを前面パネル５より外方へと移動させるための移動手段として設けられている。スライド手段１２ｂは、例えば、レール様なもの等、必要に応じて適宜選択することが可能である。又、スライド手段１２ｂは、使用者の力によってスライドするものであってもよいが、バネ等の付勢手段（図示せず）を設け、ラッチ１７による係止が解除された際に、該付勢手段の付勢力によってスライドするものであってもよい。尚、スライド手段１２ｂは、消火栓扉７の開閉操作では外れないように構成されている。
【００２３】
次に、本実施形態の消火栓装置１における消火栓扉７の開扉操作について説明する。
（１）使用者は、回転扉体１１のハンドル部１３を操作することで、ラッチ１７による係止を解除し、回転扉体１１を手前に引くと、接続手段１２の回動軸１２ａは、スライド手段１２ｂによって、前面パネル５の内方より前方方向Ａ２に移動する（図２（Ｂ）及び図３（Ｂ）を参照）。
【００２４】
（２）回動軸１２ａを前面パネル５の外方に位置するまで移動させた後、更に、回転扉体１１を手前に引くことで、回転扉体１１は、その自重で回転軸１２ａを中心として前傾方向Ａ１へと回動する（図２（Ｃ）及び図３（Ｃ）を参照）。この際、回動軸１２ａが、前面パネル５よりも外方に位置していることで、前面パネル５が回動扉体１１の回動の妨げとなることが防止でき、回動扉体１１を略180°回動し、保持スペースＳに保持することが可能である。
【００２５】
従って、消火栓装置１は、常時（火災時以外）は、回動軸１２ａが前面パネル５の前面５ａよりも内方にあり、筐体４の前面より突出していないため、回動軸１２ａが、監査路等を通行する監視員等の妨げとなることを防止でき、火災時には、回転軸１２ａが、前面パネル５よりも外方にあるため、前面パネル５が回動扉体１１の回動の妨げとなることを防止することが可能である。
【００２６】
本発明の第２実施形態を図４に基づき説明する。本実施形態と第１実施形態との相違は、ラッチ１７の代わりにラッチ１８により、回動扉体１１を係止したことである。他の構成については、同実施形態と同様であるため説明は省略する。
【００２７】
本実施形態において、ラッチ機構１６は、ラッチ１８を備えている。ラッチ１８は、第１実施形態のラッチ１７と基本的には同様の構成であるが、ラッチ１８を略Ｌ字状に形成された掛止部１８ａを有している。掛止部１８ａは、一端に傾斜部１８ｂを備えている。掛止部１８ａは、ハンドル部１３を操作してラッチ１８を引っ込める際に、ラッチ機構１６の上端に引っ掛る様になっており、これにより、ラッチ１８は、回転扉体１１の上端１１ａより完全には引っ込まない（所定の高さ突出する）様になっている。
【００２８】
そのため、上記開扉操作（１）において、ラッチ１８は、回動軸１２ａを前方方向Ａ２に移動させている間は、開口部６の上端縁６ａと面接触する、あるいは消火栓扉７を前傾方向Ａ１に回動させようとすると、ラッチ１８の上面が前面パネル５と干渉して回動できないような極めて近い位置を通過する様になっており、それによって、回動軸１２ａが前面パネル５よりも外方に移動するまで前傾方向Ａ１に回動が妨げられる様になっている。消火栓扉７（回動軸１２ａ）が前方方向Ａ２に所定の距離移動すると、前面パネル５の前面５ａの下端の位置にラッチ１８の傾斜部１８ｂが対向し、前傾方向Ａ１に回動が可能となる。
【００２９】
従って、本実施形態においては、回動扉体１１は、前傾方向Ａ１に略180°回動可能となる位置に回動軸１２ａが移動するまでは回動できない様になっていることとなり、回動軸１２ａを前方方向Ａ２に移動させている間に、回動扉体１１が不意に前傾方向Ａ１に回動することが防止されている。
【００３０】
本発明の第３実施形態を図５に基づき説明する。本実施形態と第１実施形態との相違は、接続手段１２の代わりに接続手段１９により、回動扉体１１を、消火栓扉７を開扉する際に、前傾方向Ａ１に回動可能に開口部６の下端縁６ｂに連結していることである。他の構成については、同実施形態と同様であるため説明は省略する。
【００３１】
接続手段１９は、回動扉体１１を前傾方向Ａ１に回動させる際に、回動扉体１１側の端（先端）１９ａと開口部６側の端（基端）１９ｂとが略対向する位置にくる様に屈曲可能に形成されており、常時は、筐体４の前面、即ち、前面パネル５の前面５ａよりも内方に位置している。本実施形態においては、接続手段１９は、屈曲した際に、その両端１９ａ，１９ｂが略同じ高さ位置にくる様に、即ち、前方方向Ａ２へと略Ｕ字状に屈曲可能となっている。
【００３２】
又、接続手段１９は、例えば、エラストマー等の弾性体によって形成することが可能であり、本実施形態においては、ゴム板を採用している。尚、接続手段１９は、屈曲した際に、必ずしもその両端１９ａ，１９ｂが略同じ高さ位置にある必要はなく、その両端１９ａ，１９ｂが開口部６から消火用ホース３を引き出すのに支障が生じない程度に少しずれた位置にくる様に、即ち、前方方向Ａ２へと略Ｊ字状（尚、端１９ａ及び端１９ｂのどちらがより低い位置にくるかは問わない）に屈曲可能としてもよい。
【００３３】
上記開扉操作（１）において、接続手段１９は、ハンドル部１３を操作してラッチ１７による係止を解除した際に、前方方向Ａ２に略Ｕ字状に屈曲し、回動扉体１１を前傾方向Ａ１に略180°回動させる。この際、接続手段１９の回動扉体１１側の端１９ａは、前面パネル５の前面５ａよりも外方に位置している。従って、本実施形態においても、前面パネル５が、回動扉体１１の回動の妨げになることが防止されている。
【００３４】
以上、本発明を上記実施形態に基づき説明したが、本発明は、上記実施形態に限定されるものではなく発明の要旨を変更しない範囲で適宜変更可能である。
【００３５】
（ｉ）上記第３実施形態において。接続手段１９の代わりに図５（ｃ）に示した接続手段２０を採用することも可能である。接続手段２０は、略90°に前傾方向Ａ１に回動可能となっている２つの回動軸２０ａ，２０ｂを有しており、回動扉体１１を前傾方向Ａ１に回動させる際に、この２つの回動軸２０ａ，２０ｂの各々を回動することで略Ｕ字状に屈曲するものである。
【００３６】
（ii）上記実施形態においては、消火栓扉７を回動扉体１１からなる単数の扉体を有するものとしたが、少なくとも１つの前傾方向Ａ１に回動可能な回動扉体を有していれば複数の扉体（図示せず）を有するものであってもよい。例えば、消火栓扉７を、回動扉体である上扉体と消火栓扉７を開扉する際に下降方向に移動可能に設けられた昇降扉体とし、該昇降扉体の上部に接続手段１２，１９，２０で連結させる様にしてもよい。又、この場合、該昇降扉体は、保持スペースＳに収まる様に下降する様にすることもできるが、筐体４の下方にスペースがある場合は、筐体４の底面よりも下方に下降する様にしてもよい。
【００３７】
（iii）上記実施形態において、回動扉体１１は、下開きのものとしたが、上開きであってもよく、この場合、扉を上方向に開放する向きに付勢されているか、開放した扉を保持する構成を備えるものとする。又、左右開きとしてもよいし、２つの回動扉体１１を設けて、観音開きとすることも可能である。
【符号の説明】
【００３８】
１      消火栓装置          ２      ノズル              ３      消火用ホース
４      筐体                ５      前面パネル          ５ａ    前面
６      開口部              ６ａ    上端縁              ６ｂ    下端縁
７      消火栓扉            ８      消火器扉            ９      表示灯
１０    発信機              １１    回動扉体            １１ａ  上端
１１ｂ  裏面                １２    接続手段            １２ａ  回動軸
１２ｂ  スライド手段        １３    ハンドル部          １４    操作レバー
１５    ノズルホルダ        １６    ラッチ機構          １７    ラッチ
１８    ラッチ              １８ａ  掛止部              １８ｂ  傾斜部
１９    接続手段            １９ａ  端                  １９ｂ  端
２０    接続手段            ２０ａ  回動軸              ２０ｂ  回動軸
Ａ１    前傾方向            Ａ２    前方方向            Ｅ      消火器
Ｓ      保持スペース
【図１】
2018183411.tif 000003
【図２】
2018183411.tif 000004
【図３】
2018183411.tif 000005
【図４】
2018183411.tif 000006
【図５】
2018183411.tif 000007